(57)【要約】【課題】気化に時間がかからず確実性に加湿が行え、且つコンパクトな加湿器を提供するものである。【解決手段】水タンク３と、該水タンク３内の水を所定量貯水する貯水槽２と、該貯水槽２の水を吸い上げて気化する気化フィルター４と、該気化フィルター４に送風するファン５とを備え、前記気化フィルター４には加熱源７を取り付けた加湿器であるので、加熱源により気化フィルター４が直接加熱されるので、気化が短時間に行われ加湿が行われるまで長時間待つ必要がないものであり、又常に確実な気化が行え安心して使用出来るものであり、更に、気化フィルター４と加熱源７は一体となっているので、場所も取らず器具全体をコンパクトにまとめることが出来、設置場所を選ばない器具とすることが出来るものである。【選択図】  図１
2005331173.tif 000002
【特許請求の範囲】
【請求項１】
水タンクと、該水タンク内の水を所定量貯水する貯水槽と、該貯水槽の水を吸い上げて気化する気化フィルターと、該気化フィルターに送風するファンとを備え、前記気化フィルターには加熱源を取り付けた事を特徴とする加湿器。
【請求項２】
前記気化フィルターは、抗菌作用を有する耐熱繊維から構成され、加熱源である電気ヒータを、ファンの送風路に立設された気化フィルターの中央で上下方向に備えた事を特徴とする請求項１記載の加湿器。
【請求項３】
前記気化フィルターは、定期的に自動浄化する自動浄化機能を備えた事を特徴とする請求項１及び２記載の加湿器。
【発明の詳細な説明】
【技術分野】
【０００１】
この発明はフィルター気化式の加湿器に関するものである。
【背景技術】
【０００２】
従来よりこの種のものでは、貯水槽に満たされた水に下端を浸し該水を吸い上げる気化フィルターの上部に、ファンによってヒータで加熱された送風を当てることで、蒸気化した空気を室内に放出して加湿を行うものであった。（例えば、特許文献１参照。）
【特許文献１】特許第２５１４１４５号公報
【発明の開示】
【発明が解決しようとする課題】
【０００３】
ところでこの従来のものでは、気化フィルターとヒータとが離れている関係で、気化に時間がかかったり、確実性に欠けるものであり、又場所も広く必要で器具が大型化する問題点を有するものであった。
【課題を解決するための手段】
【０００４】
この発明はこの点に着目し上記問題点を解決する為、特にその構成を請求項１では、水タンクと、該水タンク内の水を所定量貯水する貯水槽と、該貯水槽の水を吸い上げて気化する気化フィルターと、該気化フィルターに送風するファンとを備え、前記気化フィルターには加熱源を取り付けたものである。
【０００５】
又請求項２では、前記気化フィルターは、抗菌作用を有する耐熱繊維から構成され、加熱源である電気ヒータを、ファンの送風路に立設された気化フィルターの中央で上下方向に備えたものである。
【０００６】
又請求項３では、前記気化フィルターは、定期的に自動浄化する自動浄化機能を備えたものである。
【発明の効果】
【０００７】
この発明の請求項１によれば、加熱源により気化フィルターが直接加熱されるので、気化が短時間に行われ加湿が行われるまで長時間待つ必要がないものであり、又常に確実な気化が行え安心して使用出来るものである。
更に、気化フィルターと加熱源は一体となっているので、場所も取らず器具全体をコンパクトにまとめることが出来、設置場所を選ばない器具とすることが出来るものである。
【０００８】
又請求項２では、気化フィルターの抗菌作用で吸い上げられた水の中の雑菌が殺菌されて、室内の衛生環境を清潔な状態に保持出来、常に安心して加湿器を使用出来るものであり、更に電気ヒータは気化フィルターの中央に上下方向で備えられているので、直接加熱と送風を介しての間接加熱の両方で同時に加熱され、強力な蒸気加湿が行われ、十分な加湿能力が得られるものである。
【０００９】
又請求項３では、気化フィルターがカルキや水アカ等で汚れるが、この汚れを定期的に電気ヒータに通電して空だきすることで、自動的に浄化出来るので、いちいち使用者自身が洗浄作業を行う必要がなく、手間がかからず使用勝手が良く、更に自動的に行われるから汚れたまま忘れる心配がなく、常に良好な加湿機能を得ることが出来るものである。
【発明を実施するための最良の形態】
【００１０】
次にこの発明の一実施形態を図面に基づいて説明する。
１は加湿器本体で、底部には一定量の水を貯水する貯水槽２を備えると共に、カートリッジ式の水タンク３を収納可能としている。
４は耐熱繊維に白金や銀、銅等の抗菌作用を有する物質、ここでは白金を充填して構成された気化フィルターで、吸水性及び通気性を有して下端を貯水槽２の水に浸しており、上部は室内空気を送風するファン５の送風路６にバネを利用して取り付けられている。
【００１１】
前記気化フィルター４は、２つのフィルターを縦に重ね合わせ、その中央に加熱源を構成するシーズヒータからなる電気ヒータ７を上下方向に備えたもので、該電気ヒータ７に通電することなく、ファン５の送風のみで気化フィルター４が吸い上げた水を気化させての加湿と、電気ヒータ７への通電による加熱と送風により気化させての加湿とが行えるようにしたものである。
【００１２】
８は室内空気の吸込口で、白金等を充填し抗菌作用を有する空気フィルター９を備え、空気中の雑菌も加湿と同時に除去するものであり、１０は気化フィルター４で気化した蒸気を室内に放出する吹出口である。
【００１３】
１１は制御手段を構成するマイコンで、運転スイッチ１２のＯＮによる加湿器の使用時間をカウントし所定時間以上の使用と、貯水槽２の空検知センサ１３からの空検知を条件として、電気ヒータ７に通電して気化フィルター４を空炊きクリーニングによる自動浄化を行わせるものである。
【００１４】
次にこの一実施形態の作動について説明すれば、今電気ヒータ７に通電することなくファン５を駆動することにより、気化フィルター４に吸い上げられた貯水槽２の水が、ファン５によって気化フィルター４を通過する送風で気化され、そのまま吹出口１０から室内に放出されて室内の加湿を行うものである。
【００１５】
更に電気ヒータ７に通電すれば、気化フィルター４は中央から加熱され吸い上げた水が蒸発気化し、ファン５の送風で吹出口１０から室内に放出されて、室内を強力に加湿するものである。
【００１６】
これにより、電気ヒータ７による加熱なしの経済的で省エネの加湿と、電気ヒータ７による加熱有りの強力で確実な加湿とが選択して行われ、使用者の好みに応じた加湿が得られるものである。
【００１７】
又気化フィルター４は、抗菌作用を有しているので、水中の雑菌が殺菌されてから加湿され、衛生的で体に良く快適環境が形成出来ると共に、貯水槽２内の水の腐りも防止出来るものである。
【００１８】
次に運転スイッチ１２のＯＮによる加湿器の積算使用時間をマイコン１１がカウントし、所定時間例えば１日１０時間×２週間１４日＝１４０時間カウントして、空検知センサ１３による貯水槽２の空検知を条件として、空検知で停止する加湿器のファン５と電気ヒータ７に通電し、気化フィルター４を空炊きクリーニングしてカルキや汚れ、臭いを除去することで、フレッシュな状態として長期間の使用を可能とするものである。
【図面の簡単な説明】
【００１９】
【図１】この発明の実施形態の概略構成図。
【図２】同気化フィルターの分解斜視図。
【図３】同要部電気回路のブロック図。
【符号の説明】
【００２０】
１  加湿器本体
２  貯水槽
３  水タンク
４  気化フィルター
５  ファン
６  送風路
７  電気ヒータ（加熱源）
１１  マイコン
【図１】
2005331173.tif 000003
【図２】
2005331173.tif 000004
【図３】
2005331173.tif 000005